(57)【要約】【課題】大当たりの抽選に対する期待感を十分高める。【解決手段】記号表示部３００は、装飾部１２１に形成された開口３１０の奥方に３個の７セグメント発光ダイオード３０１、３０２、３０３を設け、７セグメント発光ダイオード３０１、３０２、３０３の正面側に開閉扉３１１ａ、３１１ｂを設けたものである。開口３１０は開閉扉３１１ａ、３１１ｂにより開閉可能になっている。７セグメント発光ダイオード３０１、３０２、３０３は、表示制御基板の制御により７つのライン状の発光ダイオードを選択的に発光させることで、数字を表示するものである。【選択図】図５
2007268128.tif 000002
【特許請求の範囲】
【請求項１】
遊技球が落下する遊技領域と、操作ハンドルの操作により駆動して遊技球を前記遊技領域の上側に打ち出す打球発射手段と、前記遊技領域の中央に設けられ、外周に枠部材を有し当該枠部材の内側に画像を表示する画面を有する中央役物と、前記中央役物の周囲に設けられた複数の入賞口とを備え、前記打球発射手段から打ち出され前記遊技領域に導かれた遊技球が前記複数の入賞口の少なくとも一つに入球することで所定数の賞球を払い出すとともに、前記複数の入賞口の内、特定の入賞口に遊技球が入球することを起因として大当たりの抽選を行うパチンコ遊技機であって、
前記枠部材に設けられ、前記大当たりの抽選結果に対応して表示切り替えを行う７セグメント発光ダイオードと、
前記７セグメント発光ダイオードの正面側を開閉する開閉扉と、
前記大当たりの抽選に対応して前記開閉扉の開閉の駆動制御を行う開閉駆動制御手段とを備えることを特徴とするパチンコ遊技機。
【発明の詳細な説明】
【技術分野】
【０００１】
本発明は、遊技球を案内する案内レールに囲まれた内側に遊技領域が区画されたパチンコ遊技機に関する。
【背景技術】
【０００２】
従来、パチンコ遊技機は、例えば特許文献１に示されているように、遊技球が図示しない球送り装置によって１球ずつ発射レール上に送り出され、この送り出された遊技球が打球発射手段としての打球発射装置に打ち出され、この打ち出された遊技球が遊技盤の案内レールの外レールに沿って遊技領域に導かれ、この遊技領域に導かれた遊技球が入賞具に入賞することで所定数の賞球を払い出すようになっている。前記打球発射装置が打ち出す遊技球の初速は、遊技者の指による操作ハンドルの操作により調整できるようになっている。前記遊技領域の最下部には、入賞具に入賞せずに落下した遊技球を集合して排出させるアウト口が設けられている。
【０００３】
また、近年では、文字や絵柄等のパターンを切り換えて表示する表示装置として、ＬＣＤやＬＥＤによるドットマトリックス式の画像表示装置を設けたパチンコ遊技機が普及している。
【０００４】
【特許文献１】特開２００２−０２８３２９号公報
【発明の開示】
【発明が解決しようとする課題】
【０００５】
ところで、上述した従来のパチンコ遊技機は、一般的に文字や絵柄等のパターンを切り換えて表示する表示装置としてドットマトリックス式の画像表示装置を設けているが、ドットマトリックス式の画像表示装置では、動作の立体感が乏しく、大当たりの抽選に対する期待感を十分高めているといえず、遊技者が倦怠感を抱くことも多々あった。
【０００６】
本発明は、こうした従来の問題に鑑みてなされたものであり、大当たりの抽選に対する期待感を十分高めることが可能なパチンコ遊技機を提供することを目的としている。
【課題を解決するための手段】
【０００７】
上述した課題を解決するため、請求項１に記載の発明は、遊技球が落下する遊技領域と、操作ハンドルの操作により駆動して遊技球を前記遊技領域の上側に打ち出す打球発射手段と、前記遊技領域の中央に設けられ、外周に枠部材を有し当該枠部材の内側に画像を表示する画面を有する中央役物と、前記中央役物の周囲に設けられた複数の入賞口とを備え、前記打球発射手段から打ち出され前記遊技領域に導かれた遊技球が前記複数の入賞口の少なくとも一つに入球することで所定数の賞球を払い出すとともに、前記複数の入賞口の内、特定の入賞口に遊技球が入球することを起因として大当たりの抽選を行うパチンコ遊技機であって、前記枠部材に設けられ、前記大当たりの抽選結果に対応して表示切り替えを行う７セグメント発光ダイオードと、前記７セグメント発光ダイオードの正面側を開閉する開閉扉と、前記大当たりの抽選に対応して前記開閉扉の開閉の駆動制御を行う開閉駆動制御手段とを備えることを特徴とする。
【０００８】
請求項１に記載のパチンコ遊技機によれば、前記大当たりの抽選に対応して７セグメント発光ダイオードの正面に配置された開閉扉の開閉の駆動制御を行えるので、大当たりの抽選に対する期待感を十分高めることが可能となる。
【発明の効果】
【０００９】
本発明のパチンコ遊技機によれば、大当たりの抽選に対する期待感を十分高めることが可能となり、遊技者が倦怠感を抱くのを防止する等を行える。
【発明を実施するための最良の形態】
【００１０】
以下、本発明に係る遊技機の好適な一実施形態をパチンコ遊技機を例に図面を参照して説明する。尚、図１は、パチンコ遊技機１の表側側の外観構造を表した正面図、図２は、パチンコ遊技機１の裏面側の構造を表した図、図３は、遊技盤１１の正面図、図４は、遊技盤１１の斜視図、図５は、開閉扉３１１ａ、３１１ｂが開いた状態の記号表示部３００及びその周辺部を示す平面図、図６は、開閉扉３１１ａ、３１１ｂが閉じた状態の記号表示部３００及びその周辺部を示す平面図、図７は、開閉扉３１１ａ、３１１ｂが半開きの状態の記号表示部３００及びその周辺部を示す平面図である。
【００１１】
図１において、パチンコ遊技機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１２】
前枠３は、正面左側上下部に配設された開閉連結支持機構４ａ、４ｂを介して外枠２に開閉（片持ち横開き）可能に組付けるとともに、正面右側内部に配設された施錠装置５を利用して閉鎖状態に保持される。
【００１３】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持される。
【００１４】
上球皿７には、球払出口７ａから払い出された遊技球を貯留して整列させる球皿部７ｂが設けられるとともに、球皿部７ｂに貯留する遊技球を下球皿８に排出させる球抜きレバー７ｃが設けられている。球皿部７ｂの左下側には演出用の放音部７ｄが設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。操作ハンドル９ａには、遊技者の指により回動操作が行われる操作レバー９ｂが設けられている。
【００１６】
前枠３の裏側には、この前枠３と一体に方形枠状の収容枠１０（図２参照）が成形されている。
【００１７】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００１８】
遊技盤１１は、所定板厚の積層合板の表面にセルが貼り付けられた化粧板１４の前面側に、外周を突出して内側に略円周面を形成した外レール１６ａおよび帯状の内レール１６ｂ（これらを合わせて案内レール１５と称する）が固設され、この案内レール１５に囲まれた内側に遊技領域１２が区画されている。
【００１９】
遊技領域１２内には、多数本の遊技釘１７とともに、複数の風車１８、スルーチェッカ１９、一般入賞具２０、２１、始動入賞具２３、２４並びにアタッカー入賞具２５、２６などの入賞具、中央役物１００等が設けられている。
【００２０】
図１、図３及び図４に示すように、中央役物１００は、枠部材１０１と液晶表示装置２００を組み合わせたものである。
【００２１】
図３及び図４に示すように、スルーチェッカ１９は、遊技球が通過可能なゲート部１９ｂを有し、ゲート部１９ｂを通過した遊技球を検出する通過球検出センサ（具体的には、遊技球の通過を磁気的、光学的または電気的手段等により検出するセンサ）１９ａが化粧板１４の内側から取り付けられている。
【００２２】
一般入賞具２０、２１は、遊技球が落入可能な入賞孔を有し、ここに入賞した遊技球を検出する入賞球検出センサ（具体的には、遊技球の通過を磁気的、光学的または電気的手段等により検出するセンサ）２０ａ、２１ａがそれぞれ取り付けられている。
【００２３】
始動入賞具２３は、ポケット状に形成され、入賞した遊技球を検出する入賞球検出センサが取り付けられる。
【００２４】
始動入賞具２４は、いわゆる電動チューリップ構成の入賞具からなり、左右のチューリップ羽根２４ａ、２４ｂを開閉させることができる。この始動入賞具２４にも入賞した遊技球を検出する入賞球検出センサが取り付けられている。
【００２５】
アタッカー入賞具２５、２６は、中央に横長方形状の開口からなる大入賞口を有し、この大入賞口を開閉自在に覆って開閉扉２５ａ、２６ａが取り付けられている。開閉扉２５ａ、２６ａは通常閉止されており、遊技中において所定の遊技条件の下で特別遊技状態が成立したときに、開閉扉２５ａ、２６ａが前方にほぼ９０度倒されて大入賞口が開放される。このアタッカー入賞具２５、２６の大入賞口内にも入賞球検出センサが取り付けられる。
【００２６】
一般入賞具２０、２１、始動入賞具２３、２４及びアタッカー入賞具２５、２６の後側には化粧板１４を貫通するセーフ球通路孔（不図示）が設けられている。一般入賞具２０、２１、始動入賞具２３、２４及びアタッカー入賞具２５、２６に入賞したセーフ球はセーフ球通路孔を通って遊技盤１１の裏面側に排出される。
【００２７】
遊技領域１２の最下部には、入賞具２０、２１、２３、２４、２５、２６に入賞せずに落下した遊技球をアウト球として集合して排出させるアウト口２７が設けられている。アウト口２７の後側には化粧板１４を貫通してアウト球通路孔が形成されており、アウト口２７に集められたアウト球がアウト球通路孔を通って遊技盤１１の裏面側に排出される。
【００２８】
次に、パチンコ遊技機１の裏面側の構造について詳細に説明する。
【００２９】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２８ａ、２８ｂ、２８ｃで固定保持されるようになっている。
【００３０】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成される。
【００３１】
また、前枠３の裏側下部には打球発射装置９が取り付けられ、前枠３における収容枠１０の下部に前枠３と一体に遊技補助盤２９が形成されている。なお、遊技補助盤２９の表側には打球発射装置９のハンマーと位置整合して遊技球を遊技盤の外レール１６ａ（図１参照）に向けて発射する発射レールや、放音部７ｄに向けて効果音を発生するスピーカ等が取り付けられている。また、遊技補助盤２９は、上球皿７の裏側に位置し、通常閉鎖状態に保持される上球皿７によりその表面側が覆われている。
【００３２】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されるようになっている。
【００３３】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成される。
【００３４】
整列樋部材３２は、タンク部材３１から供給された予備賞球を整列状に収容して下端の変向出口３４に送出し得るようになっている。
【００３５】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３６】
賞球払出機構４０は、裏セット盤５０の盤本体をなす開閉基枠体４１に、球貯留供給機構３０の変向出口３４に繋がる球切れ検出スイッチ４２、変向出口３４から送出される賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３７】
球切れ検出スイッチ４２は、賞球として払い出すに充分な予備賞球が整列待機通路部材４３に保持されているか否かを検出するためのものである。
【００３８】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００３９】
さらに、裏セット盤５０の各部には、このパチンコ遊技機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、液晶表示装置２００（図１参照）用及び記号表示部３００（図１参照）用の表示制御基板９６等が設けられている。
【００４０】
次に、パチンコ遊技機１におけるゲーム動作の概要を説明する。
【００４１】
パチンコ遊技機１は、上球皿７およびガラス扉６が閉止施錠された状態で遊技に供され、球皿部７ｂに遊技球を貯留させて操作ハンドル９ａの操作レバー９ｂを回動操作することにより遊技が開始される。操作ハンドル９ａの操作レバー９ｂが回動操作されると、球皿部７ｂに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。ここで、打球発射装置９が打ち出す遊技球の初速は、操作レバー９ｂが回動角により設定される。即ち、打球発射装置９が打ち出す遊技球の初速は、操作レバー９ｂの回動角が大きいほど早くなる。
【００４２】
遊技領域１２に導かれた遊技球が各入賞具２０、２１、２３、２４、２５、２６に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出される。また、遊技盤１１の前面側の液晶表示装置２００は、遊技盤１１の裏面側に取り付けられた表示制御基板９６により制御されて前述の遊技状況に応じた種々の表示がなされる。
【００４３】
一方、遊技領域１２に導かれた遊技球が入賞具２０、２１、２３、２４、２５、２６に入賞せずに落下すると、アウト球としてアウト口２７に集合し、アウト球通路孔を通って遊技盤１１の裏面側に排出される。
【００４４】
次に、中央役物１００及びその周辺部について詳細に説明する。
【００４５】
図３及び図４において、中央役物１００の枠部材１０１の上側中央の若干左よりには、角部１０２が設けられており、遊技領域１２は、この角部１０２から左右に分岐して左打ち用の遊技領域２０１と右打ち用の遊技領域２０２に分けられている。
【００４６】
左打ち用の遊技領域２０１には、多数本の遊技釘１７とともに、複数の風車１８、複数の一般入賞具２０、始動入賞具２３並びにアタッカー入賞具２５が設けられている。
【００４７】
左打ち用の遊技領域２０１は、パチンコ遊技機１が通常モードの状態及び通常モードから当選した大当たりのラウンド消化において遊技球を導く領域であり、操作レバー９ｂの回動角が比較的小さく、打球発射装置９が打ち出す遊技球の初速が比較的低い状態で用いられる領域である。ここで、パチンコ遊技機１が通常モードの状態とは、大当たりの抽選確率が低確率で、始動入賞具２４のチューリップ羽根２４ａ、２４ｂが開閉しないかもしくは低い確率で開閉する状態（いわゆる電チューサポートがない状態）を示している。
【００４８】
右打ち用の遊技領域２０２には、多数本の遊技釘１７とともに、スルーチェッカ１９、一般入賞具２１、始動入賞具２４並びにアタッカー入賞具２６が設けられている。
【００４９】
右打ち用の遊技領域２０２には、時短モードの状態、確率変動モードの状態、時短モードまたは確率変動モードから当選した大当たりのラウンド消化において遊技球を導く領域であり、操作レバー９ｂの回動角が比較的大きく、打球発射装置９が打ち出す遊技球の初速が比較的高い状態で用いられる領域である。ここで、パチンコ遊技機１が時短モードの状態とは、通常大当たりのラウンド消化後に突入するモードであり、大当たりの抽選確率が低確率で、始動入賞具２４のチューリップ羽根２４ａ、２４ｂが高い確率で開閉する状態（いわゆる電チューサポートがある状態）を示している。
【００５０】
パチンコ遊技機１が確率変動モードの状態とは、確変大当たりのラウンド消化後に突入するモードであり、大当たりの抽選確率が高確率で、始動入賞具２４のチューリップ羽根２４ａ、２４ｂが高い確率で開閉する状態を示している。
【００５１】
一方、枠部材１０１の左側壁１１１には、左打ち用の遊技領域２０１を落下する遊技球が付近の遊技釘１７の誘導により比較的低い確率で突入するワープ穴１１２が設けられている。
【００５２】
枠部材１０１の下壁１１３の正面側の上面には、ワープ穴１１２を通過した遊技球が転がるステージ１１４が形成されている。ステージ１１４の中央には遊技球を始動入賞具２３に誘導する誘導穴１１５の入り口１１５ａ（図４参照）が設けられている。誘導穴１１５の出口１１５ｂは、始動入賞具２３の上方に位置する。枠部材１０１の下壁１１３のステージ１１４の後方には装飾部１２１が上方に向けて形成されており、装飾部１２１の中央には、記号表示部３００が設けられている。
【００５３】
一方、右打ち用の遊技領域２０２に配置する枠部材１０１の右上側の外周面１１６は、外レール１６ａに近接しており、外周面と外レール１６ａに間に球路１１７が形成されている。球路１１７の中間部には、球速を低下させるための段部１１８が形成されている。球路１１７の出口から下方には、右打ち用の遊技領域２０２が形成されている。
【００５４】
次に、パチンコ遊技機１における左打ちの際のゲーム動作を説明する。
【００５５】
パチンコ遊技機１は、通常モードの場合、通常モードに対応した画像を液晶表示装置２００に表示する。この場合、遊技者は、操作レバー９ｂの回動角を比較的小さく調整し、打球発射装置９から初速が比較的低い遊技球を打ち出す。これにより、遊技球は、案内レール１５から比較的早い時期に離れ、角部１０２よりも左下側に落下して左打ち用の遊技領域２０１に導かれ、遊技釘１７や風車１８に衝突しながら、あるものは、ワープ穴１１２、ステージ１１４及び誘導穴１１５を通過し始動入賞具２３に落下し、また、あるものは、ワープ穴１１２を介さず直接下方に落下し、一般入賞具２０または始動入賞具２３に入賞し、また、あるものは、アウト球としてアウト口２７に集合し、アウト球通路孔を通って遊技盤１１の裏面側に排出される。
【００５６】
始動入賞具２３に遊技球が入賞した場合、主制御基板９１（図２参照）は、低確率（例えば全ての大当たりの合計で３９０分の１の確率）で確変大当たり及び通常大当たりの抽選を行い、確変大当たりと通常大当たりのいずれかに当選した場合、例えば液晶表示装置２００に表示される絵柄６０１、６０２、６０３を揃え、規定ラウンド（例えば１５回）までアタッカー入賞具２５の開閉扉２５ａを長時間開放させる。ここで、開閉扉２５ａは比較的幅広に形成されており、遊技者が操作レバー９ｂの回動角を大まかに調整することで、アタッカー入賞具２５に遊技球を高確率で入賞させることが可能となり、遊技者は、大量の賞球、例えば１７００個の賞球を容易に獲得できる。
【００５７】
パチンコ遊技機１は、確変大当たりに当選した場合、前記大当たりの規定ラウンド終了後に確率変動モードに移行し、通常大当たりに当選した場合、前記大当たりの規定ラウンド終了後に時短モードに移行する。
【００５８】
パチンコ遊技機１は、確率変動モードまたは時短モードに移行した場合、液晶表示装置２００を用いて遊技者に対して右打ちを行う指示を行う。これにより、遊技者は、確率変動モードと時短モードのいずれの場合にも右打ちを行う。
【００５９】
次に、パチンコ遊技機１における右打ちの際のゲーム動作を説明する。
【００６０】
パチンコ遊技機１は、確率変動モードまたは時短モードの場合、そのモードに対応した画像を液晶表示装置２００に表示する。この場合、遊技者は、操作レバー９ｂの回動角を比較的大きく調整し、打球発射装置９から初速が比較的早い遊技球を打ち出す。これにより、遊技球は、案内レール１５に誘導された状態で角部１０２を超え、球路１１７を通り、右打ち用の遊技領域２０２に落下する。右打ち用の遊技領域２０２に落下する遊技球は、遊技釘１７に衝突しながら、あるものはスルーチェッカ１９を通過し、あるものは一般入賞具２１、始動入賞具２４に入賞し、また、あるものは右打ち用の遊技領域２０２を通過してアウト球としてアウト口２７に集合し、アウト球通路孔を通って遊技盤１１の裏面側に排出される。また、スルーチェッカ１９に遊技球が通過した場合、主制御基板９１（図２参照）は、始動入賞具２４のチューリップ羽根２４ａ、２４ｂを所定回数開閉させる。これにより、始動入賞具２４には高確率で遊技球が入賞し、賞球の払出を行うため、パチンコ機１において払い出される賞球の数は、打球発射装置９から打ち出される遊技球の数の１００％前後となり、遊技者は、手持ちの遊技球をほとんど減らすことなく大当たりの抽選を連続して実行できる。以下、このような状態を、電チューサポートがある状態として説明する。
【００６１】
確率変動モードにおいて、主制御基板９１（図２参照）は、電チューサポートがある状態で始動入賞具２４に遊技球が入賞する毎に高確率（例えば全ての大当たりの合計で３９分の１の確率）で確変大当たり及び通常大当たりの抽選を行い、確変大当たりと通常大当たりのいずれかに当選した場合、絵柄６０１、６０２、６０３を揃え、規定ラウンドまでアタッカー入賞具２５の開閉扉２５ａを長時間開放させる。ここで確率変動モードは、大当たりに当選するまで継続する。
【００６２】
時短モードにおいて、主制御基板９１（図２参照）は、電チューサポートがある状態で始動入賞具２４に遊技球が入賞する毎に低確率（例えば全ての大当たりの合計で３９０分の１の確率）で確変大当たり及び通常大当たりの抽選を行い、確変大当たりと通常大当たりのいずれかに当選した場合、絵柄６０１、６０２、６０３を揃え、規定ラウンドまでアタッカー入賞具２５の開閉扉２５ａを長時間開放させる。ここで主制御基板９１（図２参照）は、通常大当たりから時短モードに突入し、時短モードにおいて１００回の抽選までに大当たりに当選しなければ時短モードを終了し、通常モードに戻る。
【００６３】
以下、記号表示部３００について詳細に説明する。
【００６４】
図４において、記号表示部３００は、装飾部１２１に形成された開口３１０の奥方に３個の７セグメント発光ダイオード３０１、３０２、３０３を設け、７セグメント発光ダイオード３０１、３０２、３０３の正面側に図５乃至図７に示す開閉扉３１１ａ、３１１ｂを設けたものである。開口３１０は開閉扉３１１ａ、３１１ｂにより開閉可能になっている。７セグメント発光ダイオード３０１、３０２、３０３は、表示制御基板９６（図２参照）の制御により７つのライン状の発光ダイオードを選択的に発光させることで、数字を表示するものである。
【００６５】
開閉扉３１１ａ、３１１ｂは、装飾部１２１の内側でそれぞれソレノイド３１２ａ、３１２ｂのプランジャ３１３ａ、３１３ｂに接続されている。表示制御基板９６（図２参照）は、主制御基板９１（図２参照）の大当たりの抽選結果に基づいてそれぞれソレノイド３１２ａ、３１２ｂのコイルに駆動電流を流し、ソレノイド３１２ａ、３１２ｂのプランジャ３１３ａ、３１３ｂをそれぞれ左側及び右側に移動させる。また、ソレノイド３１２ａ、３１２ｂは、表示制御基板９６から駆動電流が供給させない状態では、内蔵したばねの反発力により、それぞれのプランジャ３１３ａ、３１３ｂを右側及び左側に移動させる。
【００６６】
このような構造により、パチンコ遊技機１は、遊技球が落下する遊技領域１２と、操作ハンドル９ａの操作により駆動して遊技球を前記遊技領域１２に打ち出す打球発射手段としての打球発射装置９と、前記遊技領域１２の中央に設けられ、外周に枠部材１０１を有し当該枠部材の内側に画像を表示する液晶表示装置２００の画面を有する中央役物１００と、前記中央役物１００の周囲に設けられた一般入賞具２０、２１、始動入賞具２３、２４、アタッカー入賞具２５、２６による複数の入賞口とを備え、前記打球発射手段から打ち出され前記遊技領域１２に導かれた遊技球が前記複数の入賞口の少なくとも一つに入球することで所定数の賞球を払い出す。
【００６７】
７セグメント発光ダイオード３０１、３０２、３０３は、前記枠部材１０１に設けられ、前記大当たりの抽選結果に対応して表示切り替えを行う。
【００６８】
開閉扉３１１ａ、３１１ｂは、７セグメント発光ダイオード３０１、３０２、３０３の正面側を開閉する。
【００６９】
表示制御基板９６（図２参照）及びソレノイド３１２ａ、３１２ｂは、前記大当たりの抽選に対応して前記開閉扉３１１ａ、３１１ｂの開閉の駆動制御を行う。
【００７０】
以下、記号表示部３００の動作を説明する。
【００７１】
表示制御基板９６は、大当たりの抽選が行われていない状態では、ソレノイド３１２ａ、３１２ｂを制御し、図６に示すように記号表示部３００の開閉扉３１１ａ、３１１ｂを閉塞して７セグメント発光ダイオード３０１、３０２、３０３を隠れた状態にする。この場合の大当たりは確変大当たり及び通常大当たりを含む。
【００７２】
始動入賞具２３（図３参照）に遊技球が入賞した場合、主制御基板９１（図２参照）が抽選を行い、当選しなかった場合、表示制御基板９６は、８０％の割合で図６に示す状態を選択し、１０％の割合で図７に示す状態を選択し、１０％の割合で図５に示す状態を選択する。
【００７３】
図７に示す状態では、表示制御基板９６は、ソレノイド３１２ａ、３１２ｂを制御し、図７に示すように記号表示部３００の開閉扉３１１ａ、３１１ｂを半開きにして７セグメント発光ダイオード３０２を露出し、７セグメント発光ダイオード３０１、３０３を半分露出した状態にする。これにより、遊技者は比較的大当たりに当選している可能性が高いことを認識する。この後、当選しなかった場合、表示制御基板９６は、７セグメント発光ダイオード３０１、３０２、３０３に揃わない数字を表示し、液晶表示装置２００に表示される絵柄６０１、６０２、６０３の内、左右の絵柄６０１、６０３のみを揃え、絵柄６０２には別の数字を表示する。
【００７４】
主制御基板９１（図２参照）が抽選を行い、大当たりに当選した場合、表示制御基板９６は、２０％の割合で図６に示す状態を選択し、３０％の割合で図７に示す状態を選択する。５０％の割合で図５に示す状態を選択する。
【００７５】
図５に示す状態では、主制御基板９１（図２参照）の抽選結果が大当たりになっている可能性が高く、表示制御基板９６は、ソレノイド３１２ａ、３１２ｂを制御し、記号表示部３００の開閉扉３１１ａ、３１１ｂを全開の状態にし、７セグメント発光ダイオード３０１、３０２、３０３を完全に露出させる。
【００７６】
これにより、遊技者は７セグメント発光ダイオード３０１、３０２、３０３を視認する。
【００７７】
この後、表示制御基板９６は、抽選結果が大当たりの場合、第１乃至第２の大当たり用の演出動作のいずれか一つを選択して実行する。
【００７８】
第１の大当たり用の演出動作の場合、表示制御基板９６は、７セグメント発光ダイオード３０１、３０２、３０３の数字を揃え、液晶表示装置２００に表示される絵柄６０１、６０２、６０３を揃え、この後、主制御基板９１は大当たりの動作に移行する。
【００７９】
第２の大当たり用の演出動作の場合、表示制御基板９６は、７セグメント発光ダイオード３０１、３０３の数字を揃え、７セグメント発光ダイオード３０２に発光ダイオード３０１、３０３と異なる数字を表示して、いわゆるリーチ外れの状態とし、遊技者を一旦落胆させてから、液晶表示装置２００に表示される絵柄６０１、６０２、６０３を揃え、この後、主制御基板９１は大当たりの動作に移行する。
【００８０】
図５に示す状態において、主制御基板９１（図２参照）の抽選結果がハズレの場合、表示制御基板９６は、７セグメント発光ダイオード３０１、３０２、３０３に揃わない数字（前記リーチ外れも含む）を表示し、液晶表示装置２００に表示される絵柄６０１、６０２、６０３の内、左右の絵柄６０１、６０３のみを揃え、絵柄６０２には別の数字を表示する。
【００８１】
このような動作により、遊技者が受ける大当たりの期待度は、図５の状態＞図７の状態＞図６の状態となる。
【００８２】
かかる構成のパチンコ遊技機１によれば、前記大当たりの抽選に対応して７セグメント発光ダイオード３０１、３０２、３０３の正面に配置された開閉扉３１１ａ、３１１ｂの開閉の駆動制御を行えるので、大当たりの抽選に対する期待感を十分高めることが可能となり、遊技者が倦怠感を抱くのを防止する等を行える。
【００８３】
尚、図１乃至図７に示したパチンコ遊技機１において、大当たりのラウンド数として１５ラウンドと７ラウンドの２種類を有する場合には以下の演出を行うことも可能である。
【００８４】
大当たりのラウンド数として１５ラウンドと７ラウンドの２種類を有するパチンコ遊技機１において、図５に示す状態で抽選結果が１５ラウンドの大当たりの場合、表示制御基板９６は、発光ダイオード３０１、３０２、３０３の数字を揃え、液晶表示装置２００に表示される絵柄６０１、６０２、６０３を揃え、この後、主制御基板９１は１５ラウンドの大当たりの動作に移行する。
【００８５】
図５に示す状態で抽選結果が７ラウンドの大当たりの場合、表示制御基板９６は、第１乃至第２の７ラウンド大当たり用の演出動作のいずれか一つを選択して実行する。
【００８６】
第１の７ラウンド大当たり用の演出動作の場合、表示制御基板９６は、７セグメント発光ダイオード３０１、３０３の数字を揃え、７セグメント発光ダイオード３０２に発光ダイオード３０１、３０３と異なる数字を表示して、いわゆるリーチ外れの状態とし、液晶表示装置２００に表示される絵柄６０１、６０２、６０３を揃え、この後、主制御基板９１は７ラウンドの大当たりの動作に移行する。
【００８７】
第２の７ラウンド大当たり用の演出動作の場合、表示制御基板９６は、７セグメント発光ダイオード３０１、３０２、３０３の数字を揃え、この後、液晶表示装置２００に表示される絵柄６０１、６０３を揃え、絵柄６０２として絵柄６０１、６０３と異なる数字を表示し、主制御基板９１は７ラウンドの大当たりの動作に移行する。
【００８８】
このように１５ラウンドの大当たりの演出として、７ラウンドの大当たりと異なる演出を採用することで、１５ラウンドの大当たりの際に遊技者に与えるインパクトを高めることができる。
【００８９】
以下、本発明に係る遊技機の好適な他の実施形態を図面を参照して説明する。
【００９０】
図８は、他の実施形態における記号表示部５００が中央役物４００の枠部材４０１から完全に突出した状態を示す平面図、図９は、他の実施形態における記号表示部５００が枠部材４０１に完全に引き込まれた状態を示す平面図、図１０は、他の実施形態における記号表示部５００が枠部材４０１から半分突出した状態を示す平面図を示す平面図である。尚、図８乃至図１０を除く他の実施形態の構成は、図１乃至図７と同様の構成になっており、図１乃至図７を代用して説明する。
【００９１】
図８において、記号表示部５００は、ケース５１０に形成された開口５１１に３個の７セグメント発光ダイオード５０１、５０２、５０３を設けたものである。記号表示部５００は上下に移動して中央役物４００の枠部材４０１から突出及び引き込みが可能になっている。７セグメント発光ダイオード５０１、５０２、５０３は、表示制御基板９６（図２参照）の制御により７つのライン状の発光ダイオードを選択的に発光させる。
【００９２】
記号表示部５００のケース５１０は、枠部材４０１の内側でソレノイド５１２のプランジャ５１３の上端部に接続されている。表示制御基板９６（図２参照）は、主制御基板９１（図２参照）の大当たりの抽選結果に基づいてそれぞれソレノイド５１２のコイルに駆動電流を流し、ソレノイド５１２のプランジャ５１３を上側に移動させる。また、ソレノイド５１２は、表示制御基板９６から駆動電流が供給させない状態では、内蔵したばねの反発力により、それぞれのプランジャ５１３を下側に移動させる。
【００９３】
このような構造により、７セグメント発光ダイオード５０１、５０２、５０３は、前記枠部材４０１に突出及び引き込み移動可能な状態で設けられ、前記大当たりの抽選結果に対応して表示切り替えを行う。
【００９４】
表示制御基板９６（図２参照）及びソレノイド５１２は、前記大当たりの抽選に対応して前記大当たりの抽選に対応して前記枠部材に対する前記７セグメント発光ダイオード５０１、５０２、５０３の突出及び引き込み移動制御を行う。
【００９５】
以下、記号表示部５００の動作を説明する。
【００９６】
表示制御基板９６は、大当たりの抽選が行われていない状態では、ソレノイド５１２を制御し、図６に示すように記号表示部５００を下方に移動させて前記枠部材４０１に引き込み７セグメント発光ダイオード５０１、５０２、５０３を隠れた状態にする。
【００９７】
始動入賞具２３（図３参照）に遊技球が入賞した場合、主制御基板９１（図２参照）が抽選を行い、当選しなかった場合、表示制御基板９６は、８０％の割合で図９に示す状態を選択し、１０％の割合で図１０に示す状態を選択し、１０％の割合で図８に示す状態を選択する。
【００９８】
図１０に示す状態では、表示制御基板９６は、ソレノイド５１２を制御し、記号表示部５００を前記枠部材４０１から半分突出した状態にする。これにより、遊技者は比較的大当たりに当選している可能性が高いことを認識する。この後、当選しなかった場合、表示制御基板９６は、７セグメント発光ダイオード５０１、５０２、５０３に揃わない数字を表示し、液晶表示装置２００に表示される絵柄６０１、６０２、６０３の内、左右の絵柄６０１、６０３のみを揃え、絵柄６０２には別の数字を表示する。
【００９９】
主制御基板９１（図２参照）が抽選を行い、大当たりに当選した場合、表示制御基板９６は、２０％の割合で図９に示す状態を選択し、３０％の割合で図１０に示す状態を選択する。５０％の割合で図８に示す状態を選択する。
【０１００】
図８に示す状態では、主制御基板９１（図２参照）の抽選結果が大当たりになっている可能性が高く、表示制御基板９６は、ソレノイド５１２を制御し、記号表示部５００を前記枠部材４０１から完全に突出した状態にする。
【０１０１】
これにより、遊技者は７セグメント発光ダイオード５０１、５０２、５０３を視認する。
【０１０２】
この後、表示制御基板９６は、抽選結果が大当たりの場合、抽選結果が大当たりの場合、第１乃至第２の大当たり用の演出動作のいずれか一つを選択して実行する。
【０１０３】
第１の大当たり用の演出動作の場合、表示制御基板９６は、７セグメント発光ダイオード５０１、５０２、５０３の数字を揃え、液晶表示装置２００に表示される絵柄６０１、６０２、６０３を揃え、この後、主制御基板９１は大当たりの動作に移行する。
【０１０４】
第２の大当たり用の演出動作の場合、表示制御基板９６は、７セグメント発光ダイオード５０１、５０３の数字を揃え、７セグメント発光ダイオード５０２に発光ダイオード５０１、５０３と異なる数字を表示して、いわゆるリーチ外れの状態とし、遊技者を一旦落胆させてから、液晶表示装置２００に表示される絵柄６０１、６０２、６０３を揃え、この後、主制御基板９１は大当たりの動作に移行する。
【０１０５】
図５に示す状態において、主制御基板９１（図２参照）の抽選結果がハズレの場合、表示制御基板９６は、７セグメント発光ダイオード５０１、５０２、５０３に揃わない数字を表示し、液晶表示装置２００に表示される絵柄６０１、６０２、６０３の内、左右の絵柄６０１、６０３のみを揃え、絵柄６０２には別の数字を表示する。
【０１０６】
このような動作により、遊技者が受ける大当たりの期待度は、図８の状態＞図１０の状態＞図９の状態となる。
【０１０７】
このような他の実施形態によれば、前記大当たりの抽選に対応して枠部材４０１に対する前記７セグメント発光ダイオード５０１、５０２、５０３の突出及び引き込み移動制御を行えるので、大当たりの抽選に対する期待感を十分高めることが可能となる。
【０１０８】
尚、図８乃至図１０に示した他の実施形態のパチンコ遊技機においても、大当たりのラウンド数として１５ラウンドと７ラウンドの２種類を有する場合には、図１乃至図７に示した一実施形態の場合と同様に１５ラウンドの大当たりの演出として、７ラウンドの大当たりと異なる演出を採用することができる。
【０１０９】
また、図１乃至図１０に示した実施形態では、本発明を右打ち用の遊技領域２０２にスルーチェッカ１９と電動チューリップ構成の始動入賞具２４を設けたパチンコ機１に適用したが、スルーチェッカと電動チューリップ構成の始動入賞具を左打ち用の遊技領域に設けたパチンコ機に適用してもよい。
【産業上の利用可能性】
【０１１０】
本発明は、スルーチェッカと電動チューリップ構成の始動入賞具を右打ち用の遊技領域に設けたパチンコ遊技機に限らず、スルーチェッカと電動チューリップ構成の始動入賞具を左打ち用の遊技領域に設けたパチンコ遊技機にも適用可能である。
【図面の簡単な説明】
【０１１１】
【図１】図１は、本発明の一実施形態によるパチンコ遊技機の表側側の外観構造を表した正面図である。
【図２】図２は、本発明の一実施形態によるパチンコ遊技機の裏面側の構造を表した図である。
【図３】図３は、本発明の一実施形態による遊技盤の正面図である。
【図４】図４は、本発明の一実施形態による遊技盤の斜視図である。
【図５】図５は、本発明の一実施形態による開閉扉が開いた状態の記号表示部及びその周辺部を示す平面図である。
【図６】図６は、本発明の一実施形態による開閉扉が閉じた状態の記号表示部及びその周辺部を示す平面図である。
【図７】図７は、本発明の一実施形態による開閉扉が半開きの状態の記号表示部及びその周辺部を示す平面図である。
【図８】図８は、本発明の他の実施形態による記号表示部が中央役物の枠部材から完全に突出した状態を示す平面図である。
【図９】図９は、本発明の他の実施形態による記号表示部５００が枠部材４０１に完全に引き込まれた状態を示す平面図である。
【図１０】図１０は、本発明の他の実施形態による他の実施形態における記号表示部が枠部材から半分突出した状態を示す平面図を示す平面図である。
【符号の説明】
【０１１２】
１…パチンコ遊技機、２…外枠、３…前枠、
４ａ、４ｂ…開閉連結支持機構、５…施錠装置、６…ガラス扉、
７…上球皿、７ａ…球払出口、７ｂ…球皿部、７ｃ…レバー、
７ｄ…放音部、８…下球皿、８ａ…球皿部、８ｂ…球出口、
９…打球発射装置、９ａ…操作ハンドル、１０…収容枠、１１…遊技盤、
１２…遊技領域、１３…裏機構、１４…化粧板、１５…案内レール、
１６ａ…外レール、１６ｂ…内レール、１７…遊技釘、１８…風車、
１９…スルーチェッカ、２０、２１…一般入賞具、
１９ａ…通過球検出センサ、１９ｂ…ゲート部、
２３、２４…始動入賞具、２４ａ、２４ｂ…チューリップ羽根、
２５、２６…アタッカー入賞具、２５ａ、２６ａ…開閉扉、
２７…アウト口、２８ａ、２８ｂ、２８ｃ…係合レバー、
２９…遊技補助盤、３０…球貯留供給機構、３１…タンク部材、
３２…整列樋部材、３３…ターミナル制御部、４０…賞球払出機構、
４１…開閉基枠体、４２…球切れ検出スイッチ、３４…変向出口、
４３…整列待機通路部材、４４…賞球カセット、
５０…裏セット盤、５１ａ、５１ｂ…ヒンジ、
５２ａ、５２ｂ、５２ｃ…閉止レバー、９１…主制御基板、
９２…賞球制御基板、９３…ランプ・音声制御基板、
９４…電源基板、９５…中継基板、９６…表示制御基板、
１００…中央役物、１０１…枠部材、１０２…角部、
１１１…左側壁、１１２…ワープ穴、１１３…下壁、
１１４…ステージ、１１５…誘導穴、１１５ａ…入り口、
１１５ｂ…出口、１１６…外周面、１１７…球路、１１８…段部、
１２１…装飾部、２００…液晶表示装置、２０１…遊技領域、
２０２…遊技領域、３００…記号表示部、
３０１、３０２、３０３…７セグメント発光ダイオード、
３１０…開口、３１１ａ、３１１ｂ…開閉扉、
３１２ａ、３１２ｂ…ソレノイド、３１３ａ、３１３ｂ…プランジャ、
４０１…枠部材、５００…記号表示部、５１０…ケース、
５１１…開口、５０１、５０２、５０３…７セグメント発光ダイオード、５１２…ソレノイド、５１３…プランジャ、
６０１、６０２、６０３…絵柄
【図１】
2007268128.tif 000003
【図２】
2007268128.tif 000004
【図３】
2007268128.tif 000005
【図４】
2007268128.tif 000006
【図５】
2007268128.tif 000007
【図６】
2007268128.tif 000008
【図７】
2007268128.tif 000009
【図８】
2007268128.tif 000010
【図９】
2007268128.tif 000011
【図１０】
2007268128.tif 000012